(57)【要約】【課題】積み重ね時の着脱性を高める。【解決手段】底部１４の底壁部１７に配設されるとともに上方へ向けて窪み、当該ボトル１０Ａとは異なる他のボトル１０Ｂのキャップ４６が進入可能な陥没部１９と、一端開口部が陥没部１９の内周面に開口するととともに他端開口部３０ａが底部１４の外周面に開口し、他のボトル１０Ｂのキャップ４６が一端開口部と他端開口部３０ａとの間を通過可能な横孔３０と、を備えている。【選択図】図６
2017149474.tif 000002
【特許請求の範囲】
【請求項１】
口部、肩部、胴部および底部がボトル軸方向に沿って順に連設され、前記口部にキャップが装着されたボトルであって、
前記底部の底壁部に配設されるとともに上方へ向けて窪み、当該ボトルとは異なる他のボトルの前記キャップが進入可能な陥没部と、
一端開口部が前記陥没部の内周面に開口するととともに他端開口部が少なくとも前記底部の外周面に開口し、前記他のボトルの前記キャップが前記一端開口部と前記他端開口部との間を通過可能な横孔と、を備えていることを特徴とするボトル。
【請求項２】
前記横孔を形成するとともに前記横孔の延在方向に沿って延び、前記ボトルの下面視において前記延在方向に対して直交する直交方向に対向する一対の側壁部を更に備えていることを特徴とする請求項１に記載のボトル。
【請求項３】
前記側壁部、および前記陥没部において前記側壁部に前記延在方向に連なる壁部材のうちの少なくとも一方に形成されるとともに前記延在方向に沿って延び、前記口部および前記キャップのうちの少なくとも一方に係止する係止突部を更に備えていることを特徴とする請求項２に記載のボトル。
【発明の詳細な説明】
【技術分野】
【０００１】
本発明は、積み重ね可能なボトルに関する。
【背景技術】
【０００２】
この種のボトルとして、例えば下記特許文献１に記載の構成が知られている。
【先行技術文献】
【特許文献】
【０００３】
【特許文献１】特開２０１４−１９３７３７号公報
【発明の概要】
【発明が解決しようとする課題】
【０００４】
しかしながら、前記従来のボトルでは、積み重ね時の着脱性を高めることについて改善の余地がある。
【０００５】
本発明は、前述した事情に鑑みてなされたものであって、積み重ね時の着脱性を高めることができるボトルを提供することを目的とする。
【課題を解決するための手段】
【０００６】
前記課題を解決するために、本発明は以下の手段を提案している。
本発明に係るボトルは、口部、肩部、胴部および底部がボトル軸方向に沿って順に連設され、前記口部にキャップが装着されたボトルであって、前記底部の底壁部に配設されるとともに上方へ向けて窪み、当該ボトルとは異なる他のボトルの前記キャップが進入可能な陥没部と、一端開口部が前記陥没部の内周面に開口するととともに他端開口部が少なくとも前記底部の外周面に開口し、前記他のボトルの前記キャップが前記一端開口部と前記他端開口部との間を通過可能な横孔と、を備えていることを特徴とする。
【０００７】
この発明によれば、このボトルを他のボトルに積み重ねるときには、他のボトルのキャップに横孔を、横孔の他端開口部から一端開口部に向けて横孔の延在方向に沿って通過させることで、キャップを陥没部に進入させる。他のボトルに積み重ねられたボトルを他のボトルから取り外すときには、他のボトルのキャップに横孔を、横孔の一端開口部から他端開口部に向けて延在方向に沿って通過させることで、キャップを陥没部から外部に離脱させる。
以上のように、キャップに横孔を通過させることで、このボトルの他のボトルに対する積み重ねおよび取り外しのいずれも実施することができる。したがって、例えば、このボトルを他のボトルに積み重ねるために他のボトルの真上まで移動させたり、このボトルを他のボトルから取り外すために他のボトルの真上まで引き上げたりする場合に比べて、ボトルのボトル軸方向への移動量を抑えることができる。これにより、積み重ね時の着脱性を高めることができる。
【０００８】
前記横孔を形成するとともに前記横孔の延在方向に沿って延び、前記ボトルの下面視において前記延在方向に対して直交する直交方向に対向する一対の側壁部を更に備えていてもよい。
【０００９】
この場合、一対の側壁部が横孔を形成している。したがって、横孔内でのキャップの延在方向の移動を、一対の側壁部によって直交方向の両側から案内することができる。これにより、積み重ね時の着脱性をより高めることができる。
【００１０】
前記側壁部、および前記陥没部において前記側壁部に前記延在方向に連なる壁部材のうちの少なくとも一方に形成されるとともに前記延在方向に沿って延び、前記口部および前記キャップのうちの少なくとも一方に係止する係止突部を更に備えていてもよい。
【００１１】
この場合、ボトルが係止突部を備えているので、他のボトルの延在方向への移動を精度良く案内し、積み重ね時の着脱性をより一層高めることができる。
【発明の効果】
【００１２】
本発明によれば、積み重ね時の着脱性を高めることができる。
【図面の簡単な説明】
【００１３】
【図１】本発明の一実施形態に係るボトルの側面図であって、底部を含む一部分を縦断面視した図である。
【図２】図１に示すボトルの下部を拡大した縦断面図である。
【図３】図１に示すボトルの下部を拡大した、図２とは異なる断面を示す縦断面図である。
【図４】図１に示すボトルの上部を拡大した側面図である。
【図５】図１に示すボトルの斜視図であって、胴部の形状を簡素化して示した図である。
【図６】図１に示すボトルを積み重ねた状態を示す縦断面図であって、下側のボトルを側面視した図である。
【図７】図１に示すボトルを積み重ねた状態を示す、図６とは異なる断面を示す縦断面図であって、下側のボトルを側面視した図である。
【図８】図１に示すボトルを積み重ねた状態からボトルを取り外す過程を説明する側面図であって、底部を含む一部分を縦断面視した図である。
【発明を実施するための形態】
【００１４】
以下、図１から図８を参照し、本発明の一実施形態に係るボトル１０を説明する。
図１から図５に示すように、ボトル１０は、口部１１、肩部１２、胴部１３および底部１４を備え、これらがそれぞれの中心軸線を共通軸上に位置した状態でこの順に連設された概略構成とされている。一例として、ボトル１０は、射出成形により有底筒状に形成された合成樹脂材料からなるプリフォームが、ブロー成形されることで形成されている。
【００１５】
以下、上述した共通軸をボトル軸Ｏといい、ボトル軸Ｏ方向に沿って口部１１側を上側、底部１４側を下側という。また、ボトル１０をボトル軸Ｏ方向から見た平面視において、ボトル軸Ｏに直交する方向をボトル径方向といい、ボトル軸Ｏ回りに周回する方向をボトル周方向という。なお、ボトル１０はいわゆる角形ボトルである。ボトル１０をボトル軸Ｏ方向の上方から見た上面視において、口部１１は円形状（真円形状）であり、肩部１２および胴部１３は多角形状（正多角形状）、本実施形態では、角部が面取りされた正方形状とされている。また、ボトル１０をボトル軸Ｏ方向の下方から見た下面視において、底部１４は多角形状（正多角形状）、本実施形態では、角部が面取りされた正方形状とされている。
【００１６】
図１に示すように、胴部１３は、ボトル軸Ｏ方向に沿って延びる筒状に形成されている。胴部１３において、上端部１３ａと下端部１３ｂとの間に位置する中央部１３ｃは、上端部１３ａおよび下端部１３ｂよりも小径である。胴部１３の下端部１３ｂは、上端部１３ａおよび中央部１３ｃよりも大径とされ、このボトル１０の最大外径部を構成している。胴部１３の中央部１３ｃには、ラベルを装着することができる。
【００１７】
胴部１３の中央部１３ｃには、ボトル周方向に全周にわたって連続して延びる中央環状凹溝１５ｃが形成されている。胴部１３の下端部１３ｂには、ボトル周方向に全周にわたって連続して延びる下環状凹溝１５ｂが形成されている。
【００１８】
図２および図３に示すように、底部１４は、有底筒状に形成されている。底部１４は、上端開口部が胴部１３の下端開口部に接続されたヒール部１６と、ヒール部１６の下端開口部を閉塞する接地可能な底壁部１７と、を備えている。
ヒール部１６の上端部は、胴部１３の下端部１３ｂに接続されるとともに下方に向かうに従い漸次縮径している。ヒール部１６の下端部は、底壁部１７の外周縁部に接続されている。
【００１９】
底壁部１７は、外周縁部に位置する接地部１８と、ボトル軸Ｏ上に位置するとともに上方へ向けて窪む陥没部１９と、を備えている。
接地部１８は、ボトル周方向の全周にわたって延びている。接地部１８は、ボトル軸Ｏに直交する水平面に沿って延びている。
【００２０】
陥没部１９は、底壁部１７において接地部１８（外周縁部）のボトル径方向の内側に位置している。陥没部１９は、ボトル軸Ｏと同軸に配置されている。前記下面視において、陥没部１９は、多角形状（正多角形状）となっていて、図示の例では、角部が面取りされた正方形状とされている。
【００２１】
陥没部１９は、下側陥没部２０と、上側陥没部２１と、を備えている。下側陥没部２０は、上側陥没部２１よりも大径であり、上側陥没部２１よりもボトル軸Ｏ方向に小さい（浅い）。下側陥没部２０は、下環状凹溝１５ｂよりも下方に位置している。上側陥没部２１の上端縁は、胴部１３の下端部（ボトル１０の最大外径部）よりも上方に位置している。
【００２２】
下側陥没部２０は、接地部１８の内周縁部から上方に向けて延びる立ち上がり壁部２２と、立ち上がり壁部２２の上端部からボトル径方向の内側に向けて延びる連結壁部２３と、を備えている。
立ち上がり壁部２２は、ボトル軸Ｏ方向に延びる筒状に形成されている。立ち上がり壁部２２は、下方から上方に向かうに従い漸次縮径している。図示の例では、前記縦断面視において、立ち上がり壁部２２は、ボトル軸Ｏに対して傾斜しているが、ボトル軸Ｏと平行に延びていてもよい。
【００２３】
連結壁部２３は、ボトル軸Ｏ方向に開口する環状に形成されている。連結壁部２３は、ボトル径方向の内側に向かうに従い漸次、上側に向けて延びている。図示の例では、前記縦断面視において、連結壁部２３は、水平面に対して傾斜しているが、水平面と平行に延びていてもよい。
なお下側陥没部２０は、肩部１２の形状と一致させることが好ましい。立ち上がり壁部２２は、後述する段筒部４１の形状と一致させることが好ましい。連結壁部２３は、後述する上リング部４３の形状と一致させることが好ましい。
【００２４】
上側陥没部２１は、下側陥没部２０から上方に向けて延びる周壁部２４と、周壁部２４の上端開口部を閉塞する天壁部２５と、を備えている。
周壁部２４は、連結壁部２３の内周縁部から上方に延びている。天壁部２５は、胴部１３の下端部１３ｂよりも上側に位置している。天壁部２５は、平板状に形成され、水平面に沿って延びている。
【００２５】
天壁部２５には、上方へ向けて窪む天壁凹部２６が設けられている。天壁凹部２６は、ボトル１０内部に向けて突となる球面状に形成され、ボトル軸Ｏと同軸に配置されている。
周壁部２４と天壁部２５との接続部分２７は、上方に向かうに従い漸次縮径している。接続部分２７は、前記縦断面視において、ボトル１０内部に向けて突となる曲線状に形成されている。
【００２６】
前記陥没部１９において、立ち上がり壁部２２、連結壁部２３および周壁部２４は、ボトル軸Ｏ方向に延びる本体筒を構成する。前記本体筒は、陥没部１９の内周面を形成する。前記本体筒の上端開口部は、天壁部２５により閉塞されている。前記本体筒の下端開口部は、下方に向けて開口している。前記本体筒は、４つの壁部材２８がボトル周方向に連結されてなる。
【００２７】
４つの壁部材２８のうちの１つである第１壁部材２８Ａには、テーパ部２９が設けられている。テーパ部２９は、第１壁部材２８Ａにおいて周壁部２４を形成する部分に形成されている。テーパ部２９は、周壁部２４の中央部から下端部まで延びている。テーパ部２９は、上方から下方に向かうに従い漸次、ボトル径方向の外側に向けて延びている。テーパ部２９の上端縁は、下環状凹溝１５ｂよりも上方に位置している。テーパ部２９のボトル軸Ｏに対する傾斜角度は、立ち上がり壁部２２のボトル軸Ｏに対する傾斜角度よりも大きい。なおテーパ部２９はなくてもよい。
【００２８】
４つの壁部材２８のうち、第１壁部材２８Ａにボトル周方向の両側から隣り合う一対の第２壁部材２８Ｂは、互いに対向している。以下では、前記下面視において、各第２壁部材２８Ｂがボトル径方向に延びる方向を第１方向Ｄ１（延在方向）といい、一対の第２壁部材２８Ｂが対向する方向を第２方向Ｄ２（直交方向）という。第１方向Ｄ１と第２方向Ｄ２とは互いに直交する。なお図示の例では、各第２壁部材２８Ｂは、第１壁部材２８Ａのボトル周方向の端部から、第１方向Ｄ１に沿って互いに平行に延びている。
【００２９】
ここでこのボトル１０には、横孔３０が更に備えられている。横孔３０は、陥没部１９から第１方向Ｄ１に延びている。横孔３０の図示しない一端開口部は、陥没部１９の内周面に開口し、横孔３０の他端開口部３０ａは、少なくとも底部１４の外周面に開口する。前記一端開口部は、４つの壁部材２８のうち、第１壁部材２８Ａに第１方向Ｄ１に対向する図示しない第３壁部材の全域にわたって開口している。他端開口部３０ａは、底部１４（ヒール部１６）の外周面だけでなく、胴部１３の外周面にも開口している。
【００３０】
横孔３０は、前記第３壁部材から第１方向Ｄ１に沿って底部１４の外周面に向けて直線状に延びている。横孔３０は、第１方向Ｄ１の全長にわたって下方に向けて開口している。横孔３０の第２方向Ｄ２に沿った大きさ（孔幅）は、陥没部１９の第２方向Ｄ２に沿った大きさと同等になっている。横孔３０のボトル軸Ｏ方向の大きさは、陥没部１９の上下方向の大きさと同等になっている。横孔３０は、第１方向Ｄ１から見た正面視において、陥没部１９と同等の形状でかつ同等の大きさとされている。
【００３１】
横孔３０を形成する壁部は、一対の側壁部３１と、上壁部３２と、を備えている。一対の側壁部３１は、第１方向Ｄ１に沿って延びるとともに第２方向Ｄ２に対向する。一対の側壁部３１はそれぞれ、第２壁部材２８Ｂと段差なく滑らかに連なっている。上壁部３２は、一対の側壁部３１の上端部同士を連結している。上壁部３２は、天壁部２５と段差なく滑らかに連なっている。
【００３２】
側壁部３１には、第１方向Ｄ１に沿って延びる係止突部３３が形成されている。係止突部３３は、各側壁部３１に１つずつ設けられている。係止突部３３は、側壁部３１から第２方向Ｄ２に向けて突出している。
なお本実施形態では、係止突部３３は、側壁部３１から第２壁部材２８Ｂ（陥没部１９において側壁部３１に延在方向に連なる壁部材）に至るまで延びているが、本発明はこれに限らない。係止突部３３が、側壁部３１のみに設けられていてもよく、第２壁部材２８Ｂ（陥没部１９）のみに設けられていてもよい。
【００３３】
図４に示すように、肩部１２は、胴部１３の上端部１３ａに連結されている。肩部１２は、胴部１３の上端部１３ａからボトル径方向の内側に向けて延び、ボトル径方向の内側に向かうに従い漸次上方に向けて延びている。肩部１２は、上下面を有するとともに互いに異径とされた複数のリング部４０が、ボトル軸Ｏ方向に延びる段筒部４１を介して連結されてなる段付き形状に形成されている。リング部４０は、大径の下リング部４２と、小径の上リング部４３と、を備えている。段筒部４１は、下リング部４２の内周縁部と上リング部４３の外周縁部とを連結している。
【００３４】
下リング部４２は、胴部１３の上端部１３ａからボトル径方向の内側に延びている。下リング部４２は、ボトル径方向の内側に向かうに従い漸次上側に向けて延びている。下リング部４２は、ボトル径方向の外側に位置する外周部４２Ａと、ボトル径方向の内側に位置する内周部４２Ｂと、を備えている。外周部４２Ａおよび内周部４２Ｂは、平板状に形成されている。前記縦断面視において、外周部４２Ａおよび内周部４２Ｂはいずれも、水平面に対して傾斜している。外周部４２Ａの水平面に対する傾斜角度は、内周部４２Ｂの水平面に対する傾斜角度よりも大きい。
【００３５】
段筒部４１は、下リング部４２の内周縁部から上方に向けて延びている。段筒部４１は、上方に向かうに従い漸次縮径するテーパ状に形成されている。段筒部４１の直径は、下側陥没部２０の直径と同等以下であり、上側陥没部２１の直径よりも大きい。
上リング部４３は、段筒部４１の上端部からボトル径方向の内側に延びている。上リング部４３は、ボトル径方向の内側に向かうに従い漸次上側に向けて延びている。上リング部４３は、平板状に形成されている。前記縦断面視において、上リング部４３は、水平面に対して傾斜している。上リング部４３の水平面に対する傾斜角度は、外周部４２Ａの水平面に対する傾斜角度よりも小さく、内周部４２Ｂの水平面に対する傾斜角度よりも大きい。
【００３６】
口部１１は、肩部１２の内周縁部から上方に向けて延びている。口部１１の下端部には、ボトル周方向の全周にわたって延びるネックリング４５が設けられている。口部１１においてネックリング４５よりも上側に位置する部分には、雄ねじが形成されている。
【００３７】
口部１１には、外周面がボトル軸Ｏ方向に沿って延びるキャップ４６が装着されている。キャップ４６は、有頂筒状に形成されている。キャップ４６の内周面には、前記雄ねじに対応する雌ねじが形成されている。キャップ４６は、口部１１に螺着されている。キャップ４６の直径は、ネックリング４５の直径と同等であり、上側陥没部２１の周壁部２４の直径と同等以下となっている。ネックリング４５の直径は、キャップ４６の直径より大きくても小さくてよい。キャップ４６の頂壁部は、水平面に沿って延びている。
【００３８】
図６から図８に示すように、ボトル１０は、ボトル軸Ｏ方向に積み重ね可能である。互いに積み重ねられた一対のボトル１０のうち、上側のボトル１０Ａ（当該ボトル）は、下側のボトル１０Ｂ（当該ボトルとは異なる他のボトル）上に積み重ねられる。上側のボトル１０Ａにおける陥没部１９の内部には、下側のボトル１０Ｂのキャップ４６および肩部１２が進入する。
【００３９】
なお、下側のボトル１０Ｂのキャップ４６および肩部１２は、上側のボトル１０Ａの横孔３０を他端開口部３０ａから一端開口部に通過して陥没部１９内に進入する。例えば、上側のボトル１０Ａの横孔３０の他端開口部３０ａと、下側のボトル１０Ｂのキャップ４６および肩部１２と、を第１方向Ｄ１に対向させた後、上側のボトル１０Ａと下側のボトル１０Ｂとを第１方向Ｄ１に相対的に接近移動させることで、下側のボトル１０Ｂのキャップ４６および肩部１２を、上側のボトル１０Ａの横孔３０に他端開口部３０ａから進入させることができる。
【００４０】
下側のボトル１０Ｂのキャップ４６が横孔３０を通過するときに、係止突部３３は、下側のボトル１０Ｂの口部１１およびキャップ４６のうちの少なくとも一方に係止する。図示の例では、係止突部３３は、口部１１のネックリング４５に下方から係止するが、キャップ４６に係止してもよく、口部１１およびキャップ４６の両方に係止してもよい。
【００４１】
図６および図７に示すように、上側のボトル１０Ａに下側のボトル１０Ｂが積み重ねられた状態で、上側陥没部２１の内部には、下側のボトル１０Ｂのキャップ４６が収容される。なお、キャップ４６の上面と天壁部２５の下面とは当接してもよく、離間してもよい。
また下側陥没部２０の内部には、下側のボトル１０Ｂの肩部１２の一部が配置される。立ち上がり壁部２２および連結壁部２３はそれぞれ、段筒部４１および上リング部４３に倣って形成されていて、下側陥没部２０の内部には、段筒部４１および上リング部４３が配置される。そして、接地部１８および下側陥没部２０のうちの少なくとも一方は、下側のボトル１０Ｂの肩部１２に肩部１２の上方から当接する。図示の例では、接地部１８が肩部１２（内周部４２Ｂ）上に載置され、立ち上がり壁部２２および連結壁部２３は、肩部１２から離間しているが、立ち上がり壁部２２および／または連結壁部２３が肩部１２に当接してもよい。
【００４２】
以上説明したように、本実施形態に係るボトル１０によれば、キャップ４６に横孔３０を通過させることで、上側のボトル１０Ａの下側のボトル１０Ｂに対する積み重ねおよび取り外しのいずれも実施することができる。したがって、例えば、上側のボトル１０Ａを下側のボトル１０Ｂに積み重ねるために下側のボトル１０Ｂの真上まで移動させたり、上側のボトル１０Ａを下側のボトル１０Ｂから取り外すために下側のボトル１０Ｂの真上まで引き上げたりする場合に比べて、ボトル１０のボトル軸Ｏ方向への移動量を抑えることができる。これにより、積み重ね時の着脱性を高めることができる。
【００４３】
また、一対の側壁部３１が横孔３０を形成している。したがって、横孔３０内でのキャップ４６の第１方向Ｄ１の移動を、一対の側壁部３１によって第２方向Ｄ２の両側から案内することができる。これにより、積み重ね時の着脱性をより高めることができる。
さらに、ボトル１０が係止突部３３を備えているので、下側のボトル１０Ｂの第１方向Ｄ１への移動を精度良く案内し、積み重ね時の着脱性をより一層高めることができる。
【００４４】
なお、天壁部２５に天壁凹部２６が設けられている。したがって、例えば、このボトル１０をプリフォームから成形することで天壁部２５にゲート痕が形成される場合などであっても、ゲート痕を天壁凹部２６内に配置することができる。また、例えば内容物が充填されたボトル１０について、天壁部２５が下方に膨出することを抑制することができる。これにより、ゲート痕などが、上側陥没部２１に収容される下側のボトル１０Ｂのキャップ４６に干渉するのを抑えることが可能になり、上側のボトル１０Ａの姿勢を下側のボトル１０Ｂ上でより安定させ易くすることができる。
【００４５】
なお、本発明の技術的範囲は前記実施形態に限定されるものではなく、本発明の趣旨を逸脱しない範囲において種々の変更を加えることが可能である。
【００４６】
中央環状凹溝１５ｃおよび下環状凹溝がなくてもよい。係止突部３３がなくてもよい。
上述した実施形態では、肩部１２が、複数のリング部４０が段筒部４１を介して連結されてなる段付き形状に形成されているが、本発明はこれに限れられない。例えば、肩部１２が環状の傾斜壁によって形成されていて、段筒部４１がなくてもよい。
【００４７】
上述した実施形態では、ボトル１０を積み重ねたときに、接地部１８が、下側のボトル１０Ｂの肩部１２に当接するが、本発明はこれに限られない。例えば、接地部１８および下側陥没部２０（連結壁部２３）の両方が肩部１２に当接してもよく、下側陥没部２０（連結壁部２３）が肩部１２に当接しつつ接地部１８が肩部１２から離間してもよい。
【００４８】
また、上述した実施形態では、肩部１２、胴部１３の上面視形状、及び底部１４の下面視形状（ボトル径方向に沿う横断面視形状）をそれぞれ多角形状としたが、本発明はこれに限られず、円形状にする等、適宜変更してもよい。
さらに、上述した実施形態では、ボトル１０を二段に積み重ねる構成としたが、本発明はこれに限らず、三段以上の複数段積み重ねても構わない。
【００４９】
また、ボトル１０を形成する合成樹脂材料は、例えばポリエチレンテレフタレートや、ポリエチレンナフタレート、非晶性ポリエステル等、またはこれらのブレンド材料等、適宜変更してもよい。
さらに、ボトル１０は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００５０】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００５１】
１０、１０Ａ、１０Ｂ   ボトル
１１   口部
１２   肩部
１３   胴部
１４   底部
１７   底壁部
１８   接地部
１９   陥没部
３０   横孔
３０ａ 他端開口部
３１   側壁部
３３   係止突部
４６   キャップ
Ｄ１   第１方向（延在方向）
Ｄ２   第２方向（直交方向）
Ｏ     ボトル軸
【図１】
2017149474.tif 000003
【図２】
2017149474.tif 000004
【図３】
2017149474.tif 000005
【図４】
2017149474.tif 000006
【図５】
2017149474.tif 000007
【図６】
2017149474.tif 000008
【図７】
2017149474.tif 000009
【図８】
2017149474.tif 000010